(57)【要約】      （修正有）【課題】年齢と共に変化する体型を綺麗に保持できる女性用肌着を提供する。【解決手段】着用時に身体の少なくとも胸部および腹部を覆う前身頃１０１と、着用時に身体の少なくとも背中部および臀部を覆う後身頃１０２から女性用肌着１００を形成する。さらに、前身頃１０１の上半部に左右の肩ストラップ１０７に長さ調整部１０６が独立して設けられた左右一対のカップ部１０４をその直下のカップ支持部１０３を介して一体に設け、後身頃１０２の背中部に左右に延びて前身頃１０１のカップ支持部１０３に達する弾性帯部を一体に設ける。【選択図】図１
0003177060.tif 000002
【実用新案登録請求の範囲】
【請求項１】
着用時に身体の少なくとも胸部および腹部を覆う前身頃と、着用時に身体の少なくとも背中部および臀部を覆う後身頃からなる女性用肌着において、
前身頃の上半部に左右の肩ストラップに長さ調整部が独立して設けられた左右一対のカップ部をその直下のカップ支持部を介して一体に設け、後身頃の背中部に左右に延びて前身頃のカップ支持部に達する弾性帯部を一体に設けていることを特徴とする女性用肌着。
【請求項２】
後身頃の裾部を前身頃の裾部よりも下方に延ばしてなることを特徴とする請求項１記載の女性用肌着。
【考案の詳細な説明】
【技術分野】
【０００１】
本考案は、女性用肌着に関するものである。
【背景技術】
【０００２】
女性、特に婦人が着用する肌着には、スリップタイプやキャミソールタイプがある（例えば、特許文献１参照）。上着の下に着用する肌着は、一般的に夏場の吸汗性や冬場の保温性に優れており、年配の女性のみならず若い女性にも重宝されている。
【先行技術文献】
【特許文献】
【０００３】
【特許文献１】実用新案登録公報第３０３６７５６号
【考案の概要】
【考案が解決しようとする課題】
【０００４】
しかしながら、一般に女性の体型は年齢と共に変化するところ、上記のスリップタイプやキャミソールタイプの肌着を、特に年配の女性が着用する場合、年齢と共に変化する体型をきれいに保持できるという構造とはなっておらず、その点で不満が生じていた。それらのタイプの肌着は、ランニング型あるいはタンクトップ型と称することもできる。
【０００５】
本考案は、上記課題に鑑みてなされたもので、年齢と共に変化する体型を綺麗に保持できる女性用肌着を提供することを目的とする。
【課題を解決するための手段】
【０００６】
上記課題を解決するために、本考案は、着用時に身体の少なくとも胸部および腹部を覆う前身頃と、着用時に身体の少なくとも背中部および臀部を覆う後身頃からなる女性用肌着において、
前身頃の上半部に左右の肩ストラップに長さ調整部が独立して設けられた左右一対のカップ部をその直下のカップ支持部を介して一体に設け、後身頃の背中部に左右に延びて前身頃のカップ支持部に達する弾性帯部を一体に設けていることを主要な特徴とする。
【０００７】
本考案に係る女性用肌着は、後身頃の裾部を前身頃の裾部よりも下方に延ばしてなることを第２の特徴とする。
【考案の効果】
【０００８】
以上説明したように、本考案に係る女性用肌着によると、従来のランニング型あるいはタンクトップ型の女性用肌着に比べると、年齢と共に体型が変化した場合であっても、本考案に係る女性用肌着を着用することにより、体型を美しく保持することができるという優れた効果を奏する。
【０００９】
また、後身頃の背中部に、左右に延びて前身頃のカップ支持部に達する弾性帯部を設けたから、着用時に前身頃のカップ支持部を着用者の身体に弾性密着させ、肌着がずれるのを防ぐことができる。肩ストラップの長さ調整によるずれ防止と合せて、年齢と共に変化する体型を美しく保持することができるという優れた効果を奏する。
【００１０】
さらに、従来の女性用肌着は、年齢とともに着用者の姿勢が次第に前屈みになり、肌着の後身頃の裾がスカートやズボンから出る心配があったが、本考案の女性用肌着を着用することにより、肌着の後身頃の裾がスカートやズボンから出る心配がなくなるという優れた効果を奏する。
【図面の簡単な説明】
【００１１】
【図１】本考案の女性用肌着の斜視図、
【図２】図１に示す女性用肌着の正面図、
【図３】図１に示す女性用肌着の背面図である。
【考案を実施するための最良の形態】
【００１２】
以下、本考案の実施の形態を、図面を参照して説明する。
図１ないし図３は本考案の一実施形態を示すもので、図１において、符号１００は女性用肌着を示している。
【００１３】
図１に示すように、女性用肌着１００は、着用時に身体の少なくとも胸部および腹部を覆う前身頃１０１と、着用時に身体の少なくとも肩部、背中部および臀部を覆う後身頃１０２から構成されている。
【００１４】
前身頃１０１の上半部には、図１および図２に示すように、カップ支持部１０３を介して左右一対のカップ部１０４，１０４が一体に設けられている。左右一対のカップ部１０４，１０４は、中央付近が前方に膨出する形状とされ、着用時に身体の胸部に位置し、女性着用者の胸部を保持するブラジャー部を構成する。カップ支持部１０３は、前身頃１０１の下半部１０５の上端に左右一対のカップ部１０４，１０４を支持する役目をする。左右一対のカップ部１０４，１０４の上部と後身頃１０２の肩部１０５との間には長さ調整部１０６が独立して設けられた左右の肩ストラップ１０７，１０７が設けられている。
【００１５】
後身頃１０２の背中部１０８には、図３に示すように、左右に延びて前身頃１０１のカップ支持部１０３に達する弾性帯部１０９が設けられている。この弾性帯部１０９は、着用時に前身頃１０１のカップ支持部１０３を身体に弾性密着させ、女性着用者の胸部を左右一対のカップ部１０４，１０４内にきちんと保持し、各カップ部１０４が胸部からずれるのを防ぐ役割をする。後身頃１０２の裾部１１０には、前身頃１０２の裾部１１１よりも下方に延びるテール部１１２が設けられている。
【００１６】
前身頃１０１および後身頃１０２は、肌着として適するように夏場の吸汗性および冬場の保温性に優れた素材からなっている。具体的には、綿、絹、合成繊維（ポリエステルやポリアミド等）の単一または複数の組合せ素材からなっている。また、後身頃１０２の背中部１０８の弾性帯部１０９は、平たいゴム状部材を背中部１０８に縫い込むようにしても良い。
【００１７】
上記のように構成された女性用肌着１００によると、以下のような効果が得られる。
【００１８】
（１）従来のランニング型あるいはタンクトップ型の女性用肌着に比べると、年齢と共に体型が変化した場合であっても、本実施形態の女性用肌着１００を着用することにより、体型を美しく保持することができる。すなわち、従来のランニング型あるいはタンクトップ型の女性用肌着であれば、年齢と共に変化する体型（特に胸部）を保持することが難しいが、本実施形態の女性用肌着１００によれば、一対のカップ部１０４，１０４内に女性着用者の胸部を保持し、かつ、左右の肩ストラップ１０７，１０７の独立した長さ調整部１０６により、着用者の体格および体型に合わせて肩ストラップ１０７，１０７の長さを調整し、これにより、肩ストラップ１０７，１０７のずれも無くなり、年齢と共に変化する体型を美しく保持することができる。
【００１９】
（２）後身頃１０２の背中部１０８に、左右に延びて前身頃１０１のカップ支持部１０３に達する弾性帯部１０９が設けられているから、着用時に前身頃１０１のカップ支持部１０３を着用者の身体に弾性密着させ、女性着用者の胸部を左右一対のカップ部１０４，１０４内にきちんと保持し、各カップ部１０４が胸部からずれるのを防ぐことができる。肩ストラップ１０７，１０７の長さ調整によるずれ防止と合せて、年齢と共に変化する体型を美しく保持することができる。
【００２０】
（３）従来の女性用肌着は、年齢とともに着用者の姿勢が次第に前屈みになり、肌着の後身頃の裾がスカートやズボンから出る心配があるが、本実施形態の女性用肌着１００では、後身頃１０２の裾部１１０に、前身頃１０２の裾部１１１よりも下方に延びるテール部１１２が設けられているから、肌着の後身頃の裾がスカートやズボンから出る心配がなくなる。
【００２１】
かくして、本考案の女性用肌着によれば、年齢と共に変化する体型を、いつまでも綺麗に保持でき、さらに吸汗性および保温性に優れた女性用肌着を実現することができる。
【産業上の利用可能性】
【００２２】
本考案に係る女性用肌着は、年齢と共に変化する体型を綺麗に保持できる肌着として、幅広く利用可能である。
【符号の説明】
【００２３】
１００  女性用肌着
１０１  前身頃
１０２  後身頃
１０３  カップ支持部
１０４  カップ部
１０５  下半部
１０６  長さ調整部
１０７  肩ストラップ
１０８  背中部
１０９  弾性帯部
１１０，１１１  裾部
１１２  テール部
【図１】
0003177060.tif 000003
【図２】
0003177060.tif 000004
【図３】
0003177060.tif 000005